(57)【要約】  本発明は、室内に設置されたブラインドシステムの自動較正のための制御システムに関し、制御システムは、メモリ、クロック、及びプロセッサを有するコントローラ（１、８、９）、存在センサ（２、７）、室内光センサ（３、７）、並びに屋外光センサ（４）を含む。制御システムは、屋外光センサが所定の閾値より高い屋外光レベルを示し、存在センサが室内に人が存在しないことを示し、且つ前回の構成から所定の時間が経過した場合、ブラインドシステムの自動較正を実行するよう構成されている点で特徴付けられる。また、本発明は、制御システムを使用する、室内に設置されたブラインドシステムの自動較正のための方法に関連し、制御システムは、メモリ、クロック、及びプロセッサを有するコントローラ（１、８、９）、存在センサ（２、７）、室内光センサ（３、７）、並びに屋外光センサ（４）を含む。方法は、屋外光センサ（４）が所定の閾値より高い屋外光レベルを示し、存在センサ（２、７）が室内に人が存在しないことを示し、且つ前回の構成から所定の時間が経過した場合、ブラインドシステムの自動較正を実行するステップを含む。
2015503044.tif 000002
【特許請求の範囲】
【請求項１】
室内に設置されたブラインドシステムの自動較正のための制御システムであって、
−メモリ、クロック、及びプロセッサを有するコントローラと、
−存在センサと、
−室内光センサと、
−屋外光センサと
を含み、
前記屋外光センサが所定の閾値より高い屋外光レベルを示し、前記存在センサが前記室内に人が存在しないことを示し、且つ前回の較正から所定の時間が経過した場合、前記制御システムは、前記ブラインドシステムの自動較正を実行する、制御システム。
【請求項２】
前記室内において人工照明がオンであるか否かを判定する人工照明検出器をさらに含み、
前記人工照明検出器が、前記人工照明がオフであると示した場合、前記制御システムは、前記ブラインドシステムの較正を実行する、請求項１に記載の制御システム。
【請求項３】
前記ブラインドシステムは、スラットと、ブラインドの伸展動作を駆動する第１ステップモータと、前記スラットの回転動作を駆動する第２ステップモータとを含み、前記メモリは、前記第１及び第２ステップモータの複数のポジションを記憶し、前記記憶された複数のポジションのそれぞれに対して、対応する室内光と屋外光との光レベル比が記憶され、前記記憶されたステップモータポジションは、前記自動較正中、前記光レベル比に適合するよう更新される、請求項１又は２に記載の制御システム。
【請求項４】
ネットワーク通信手段をさらに含む、請求項１乃至３のいずれか一項に記載の制御システム。
【請求項５】
前記存在センサ及び／又は前記室内光センサは、前記ブラインドシステムの自動較正のための前記制御システムが設置された室内の照明システムの一部であり、前記ネットワーク通信手段は、前記存在センサ及び／又は前記室内光センサと通信する、請求項４に記載の制御システム。
【請求項６】
請求項１乃至５のいずれか一項に記載の制御システムを含む建物。
【請求項７】
制御システムを使用する、室内に設置されたブラインドシステムを自動較正するための方法であって、前記制御システムは、メモリ、クロック、及びプロセッサを有するコントローラと、存在センサと、室内光センサと、屋外光センサとを含み、前記方法は、前記屋外光センサが所定の閾値より高い屋外光レベルを示し、前記存在センサが前記室内に人が存在しないことを示し、且つ前回の較正から所定の時間が経過した場合、前記ブラインドシステムの自動較正を実行するステップを含む、方法。
【請求項８】
前記制御システムは、前記室内において人工照明がオンであるか否かを判定する人工照明検出器をさらに含み、前記方法は、前記人工照明検出器が前記人工照明がオフであると示す場合、前記ブラインドシステムの自動較正を実行する前記ステップをさらに含む、請求項７に記載の方法。
【請求項９】
前記ブラインドシステムは、スラットと、ブラインドの伸展動作を駆動する第１ステップモータと、前記スラットの回転動作を駆動する第２ステップモータとを含み、前記メモリは、前記第１及び第２ステップモータの複数のポジションを記憶し、前記記憶された複数のポジションのそれぞれに対して、対応する室内光と屋外光との光レベル比が記憶され、前記方法は、前記自動較正中、前記光レベル比に適合するよう前記記憶されたステップモータポジションを更新するステップをさらに含む、請求項７又は８に記載の方法。
【請求項１０】
前記記憶されたステップモータポジションを更新する前記ステップは、
−ブラインド伸展及びスラット角度に関する前記ブラインドの記憶されたポジションに前記第１及び第２ステップモータを制御するステップであって、前記スラット角度は鉛直軸に対する角度である、ステップと、
−室内光と屋外光との新しい光レベル比を測定するステップと、
−前記新しい光レベル比を、前記現在のポジションに対して記憶された前記光レベル比と比較するステップと
を含み、
前記新しい光レベル比が、前記記憶された光レベル比とは異なる場合、光レベル比を測定しながら前記第２ステップモータが漸次調整されて、前記所定の光レベル比が到達され、前記測定された光レベル比は、前記ブラインドポジションのステップモータポジションとともに前記メモリにおいて更新される、請求項７乃至９のいずれか一項に記載の方法。
【請求項１１】
前記第１及び第２ステップモータの前記記憶されたポジションは、
−Ｒ１）前記ブラインドは完全に伸展されており、前記スラットはα＝４５°、
−Ｒ２）前記ブラインドは完全に伸展されており、前記スラットは完全に開いている若しくはα＝９０°、
−Ｒ３）前記ブラインドは完全に伸展されており、前記スラットはα＝１３５°、
−Ｒ４）前記ブラインドは完全に伸展されており、前記スラットは完全に閉じている若しくはα＝１８０°、
−Ｒｍｉｎ）前記ブラインドは完全に伸展されており、前記スラットは完全に閉じている若しくはα＝０°、又は
−Ｒｍａｘ）前記ブラインドは伸展されておらず、前記スラットは完全に開いている若しくはα＝９０°、
を含む光レベル比Ｒの組み合わせのうちの少なくとも１つに対応する、請求項１０に記載の方法。
【請求項１２】
前記記憶されたステップモータポジションを更新する前記ステップは、
−前記第１及び第２ステップモータを、前記光レベル比Ｒ２に対応する前記記憶されたポジションに制御するステップと、
−光レベル比Ｒ’２を測定するステップと、
−前記第１及び第２ステップモータを、前記光レベル比Ｒ４に対応する前記記憶されたポジションに制御するステップと、
−光レベル比Ｒ’４を測定するステップと、
−前記第１及び第２ステップモータを、前記光レベル比Ｒｍｉｎに対応する前記記憶されたポジションに制御するステップと、
−光レベル比Ｒ’ｍｉｎを測定するステップと、
−前記測定された光レベル比Ｒ’ｍｉｎを、前記現在のポジションに対応する前記記憶された光レベル比Ｒｍｉｎと比較するステップと
を含み、
−前記測定された光レベル比Ｒ’ｍｉｎが前記記憶された光レベル比Ｒｍｉｎより高く、Ｒ’４がＲ４より高く、Ｒ’２がＲ２より高い場合、前記第１ステップモータは漸次調整され、Ｒ’ｍｉｎが前記記憶された値以下になるまで前記ブラインドをさらに伸展し、
−前記メモリ内の前回測定された前記光レベル比、及び前記完全に伸展され完全に閉じられたポジションのステップモータポジションを更新する、請求項１１に記載の方法。
【請求項１３】
前記測定された光レベル比Ｒ’ｍｉｎが前記記憶された光レベル比Ｒｍｉｎより高く、Ｒ’４及びＲ’２が前記記憶された値Ｒ４及びＲ２とそれぞれ同様である場合、前記光レベル比が前記記憶された値以下になるまで、前記光レベル比を測定しながら、前記第２ステップモータを漸次調整して前記スラットをさらに閉じ、前記メモリ内の前回測定された前記光レベル比、及び前記完全に伸展され完全に閉じられたポジションのステップモータポジションを更新する、請求項１２に記載の方法。
【請求項１４】
前記記憶されたステップモータポジションを更新する前記ステップは、さらに、
−前記第１及び第２ステップモータを、前記光レベル比Ｒ２に対応する前記記憶されたポジションに制御するステップと、
−室内光と屋外光との新しい光レベル比Ｒ’２を測定するステップと、
−前記新しい光レベル比Ｒ’２を、前記現在のポジションに対応する前記記憶された光レベル比と比較するステップと
を含み、
前記新しい光レベル比Ｒ’２が前記記憶された光レベル比Ｒ２より低い場合、前記光レベル比を測定しながら、前記第２ステップモータが漸次調整されて、最大光レベル比が求められ、前記メモリにおいて、前記最大光レベル比、及び前記完全に伸展され完全に開かれたポジションのステップモータポジションが更新される、請求項１１乃至１３のいずれか一項に記載の方法。
【発明の詳細な説明】
【技術分野】
【０００１】
本発明は、一般的には建物内のブラインドシステムの自動較正に関する。より具体的には、本発明は、請求項１の導入部に記載されるような室内に設置されるブラインドシステムの自動較正のための制御システムに関する。また、本発明は、部屋内に設置されるブラインドシステムの自動較正のための方法に関する。
【背景技術】
【０００２】
商業ビルは、世界のエネルギー消費の約３０〜４０％を占める。よって、かかる建物のエネルギー消費を削減することは重要である。照明は、平均で全ビルエネルギー使用の約４０％を占め、暖房、換気、及び空調（ＨＶＡＣ）は、約３０％を占める。残りの３０％は、電気機器やエレベーター等に使用される。照明及びＨＶＡＣが改善の主な候補であり、最も取り掛かり易いことは明らかである。
【０００３】
照明及びＨＶＡＣ管理における３つの主要領域は、内部照明、外部照明及び日射熱取得の管理、並びに建物ＨＶＡＣシステムの管理である。これらのシステムは、それぞれにおいて最適化することができ、既に相当なエネルギー削減を果たしている。商業ビルのエネルギー消費をさらに削減するためには、これらのシステムを統合しなければならない。
【０００４】
しかし、ビジネスモデル及びビル建築プロセスのため、上記システムは高度には統合化されていない。したがって、エネルギー消費を削減するために商業ビルの照明及びＨＶＡＣシステムを改良することへの需要が存在する。
【０００５】
ブラインドシステムは建物における日光を制御するための商業ビルに組み込まれるシステムの一種であり、照明及び空調システムの両方に関与する。ブラインドシステムは、多数の摩耗（又は劣化）する機械的部品を含む。一方で、ブラインドシステムは、ブラインドを正確に制御し、快適さ及び昼光の利用を最大限にしつつ、ぎらつき及び不快なコントラストレベルを最小限にしなければならない。米国特許出願公開第２０１０／０００６２４１号は、ブラインドシステムの制御の一例を示す。米国特許出願公開第２０１０／０００６２４１号において、制御システムは、日光に応じて室内のブラインド及び照明を制御し、日光を利用する一方、日差しが強い時はぎらつきを抑える。
【０００６】
商業ビル用のブラインドシステムの自動制御は概ね良好に機能するが、一定の期間使用されると、例えばワイヤの伸びや回転軸上のスラグの増加等による機械的部品の劣化により、ブラインドを適切に制御することができなくなる。ブラインドシステムが摩耗した場合、再較正が通常必要であり、実行される場合は通常、ブラインドシステムのテクニカルサービス員又は他の保守員によって実行される。かかる再較正には時間及び費用がかかるため、最適なパフォーマンスのために望まれる程度には頻繁に実行されない。このため、ブラインドシステムが比較的長い期間不適切に較正されていることがしばしばある。
【発明の概要】
【発明が解決しようとする課題】
【０００７】
本発明の目的は、従来技術を改良すること、上記問題を解決すること、及び建物内のブラインドシステムの自動較正のための改良された装置を提供することである。上記及び他の目的は、室内に設置されたブラインドシステムの自動較正のための制御システムであって、メモリ、クロック、及びプロセッサを有するコントローラ、存在センサ、室内光センサ、及び屋外光センサを含む制御システムによって達成される。制御システムは、屋外光センサが所定の閾値より高い屋外光レベルを示し、存在センサが室内に人が存在しないことを示し、且つ前回の較正から所定の時間が経過した場合、ブラインドシステムの自動較正を実行するよう構成されている点で特徴付けられる。
【０００８】
これは、ブラインドシステムが、ハードウェア部品の摩耗を補償するように自身の制御ポジションを再較正及び調整することにより、長期間にわたる最大快適性及びエネルギー節約を保証することを可能にする。較正は、室内に人がいなくなってからいくらかの時間が経過した後、且つ前回の較正から所定の時間が経過した後に自動的に実行されるので、高額なシステムの手動較正を回避することができる。
【０００９】
また、制御システムは好適には、室内の人工照明がオンか否かを判定する人工照明検出器を備える。制御システムは、人工照明がオフであることを人工照明検出器が示す場合、ブラインドシステムの較正を実行するよう構成される。
【００１０】
制御システムは、屋外光レベルを室内光レベルと比較することにより、あるブラインドポジションの再較正が必要であるか否かを判定する。したがって、較正を実行する際、室内人工照明はオフでなければならない。人工照明検出器は、ブラインド制御システムにのみ接続された検出器でもよいし、照明システム内に含まれる検出器でもよい。照明システムがブラインドシステム制御システムと同じ存在センサによって制御され、室内における存在が検出されない場合は必ず自動的に照明がオフにされるとき、人工照明のために特別なセンサを設ける必要はない。あるいは、システムは較正の前に照明をオフにしてもよい。存在センサに基づき、室内に人が存在しないので、これはほとんどの場合で適切である。
【００１１】
本発明の一実施形態によれば、ブラインドシステムは、スラットと、ブラインドの伸展動作を駆動する第１ステップモータと、スラットの回転動作を駆動する第２ステップモータとを含み、メモリは、第１及び第２ステップモータの複数のポジションを記憶し、記憶された複数のポジションのそれぞれに対して、対応する室内光と屋外光との光レベル比が記憶され、記憶されたステップモータポジションは、自動較正中、光レベル比に適合するよう更新される。
【００１２】
モータは、好ましくはステップモータである。これは、ステップモータは、回転ポジションに関して追跡するのが容易だからである。ただし、ステップモータは、回転ポジションに関して容易に追跡できるという特徴を有する、任意の適切なシェード駆動用モータによって置換できる。
【００１３】
記憶されるポジションは任意であり、メモリが保持可能な程度に多くてもよく、これは、メモリが大きい場合、望まれる数よりはるかに多い可能性が高い。ただし、いくつかの特別なポジションは他のポジションより重要であり、後に詳述される。
【００１４】
ブラインドシステムは横型でもよく縦型でもよい、すなわち、伸展は鉛直方向でも水平方向でもよい。他の実施形態において、制御システムは、何らかの材質のカーテンが、例えばロールから水平に又は鉛直に伸展されるシェードを制御及び自動較正するよう構成されてもよい。シェードの場合、必要なのは第１ステップモータのみである。
【００１５】
コントロールシステムは、好ましくは、自身が設置されているビル内の他のコンピュータ化されたシステムと通信可能なネットワーク通信手段をさらに備える。商業ビル及び他の種類の建物は、ビル管理システム（ＢＭＳ）、照明コントローラ、又はビル内の機能を制御するための他のコンピュータ化された手段をしばしば備える。これは、例えば室内光センサ及び場合によっては屋外光センサ、並びに存在センサ等の既存のセンサによって測定されたデータを利用する簡単な方法を実現可能にする。また、一実施形態によれば、本発明に係る制御システムは、ＢＭＳが上記の必須ハードウェア全てへのアクセスを有する場合、ＢＭＳ内にプログラムとして組み込まれてもよい。したがって、存在センサ及び／又は室内光センサはブラインドシステムの自動較正のための制御システムが設けられている室内の照明システムの一部であってもよく、ネットワーク通信システムは、存在センサ及び／又は室内光センサと通信するよう構成される。
【００１６】
よって、本発明に係るシステムは、建物内に設置されることを意図する。当該システムは、しばしば照明が大きなエネルギーを要求し、当該システムが最もよく使用される商業又は公共建物において特に有利である。しかし、本発明の制御システムにおける自動較正は、機械的に摩耗するあらゆる種類の自動ブラインド及びシェードシステムを補助することができる。
【００１７】
本発明は、さらに、制御システムを使用する、室内に設置されたブラインドシステムを自動較正するための方法であって、制御システムは、メモリ、クロック、及びプロセッサを有するコントローラと、存在センサと、室内光センサと、屋外光センサとを含み、方法は、屋外光センサが所定の閾値より高い屋外光レベルを示し、存在センサが室内に人が存在しないことを示し、且つ前回の較正から所定の時間が経過した場合、ブラインドシステムの自動較正を実行するステップを含む、方法に関する。
【００１８】
また、好適には、方法は、室内の人工照明がオンであるか否かを判定する人工照明検出器をさらに備える。方法は、人工照明検出器が人工照明がオフであると示した場合、ブラインドシステムの較正を実行するステップをさらに含む。
【００１９】
方法は、さらに、スラットと、ブラインドの伸展動作を駆動する第１ステップモータと、スラットの回転動作を駆動する第２ステップモータとを含むブラインドシステムを使用してもよい。メモリは、第１及び第２ステップモータの複数のポジションを記憶し、記憶された複数のポジションのそれぞれに対して、対応する室内光と屋外光との光レベル比が記憶され、方法は、自動較正中、光レベル比に適合するように記憶されたステップモータポジションを更新するステップをさらに含む。
【００２０】
方法において、さらに、記憶されたステップモータポジションを更新するステップは、ブラインド伸展及びスラット角度に関するブラインドの記憶されたポジションに第１及び第２ステップモータを制御するステップであって、スラット角度は鉛直軸に対する角度である、ステップと、室内光と屋外光との新しい光レベル比を測定するステップと、新しい光レベル比を、現在のポジションに対して記憶された光レベル比と比較するステップとを含み、新しい光レベル比が、記憶された光レベル比とは異なる場合、光レベル比を測定しながら第２ステップモータが漸次調整されて、所定の光レベル比が到達され、測定された光レベル比は、ブラインドポジションのステップモータポジションとともにメモリにおいて更新されてもよい。
【００２１】
この方法は、ブラインドシステム内のスラットの回転ポジションを較正するために使用される。これは、伸展が正確に較正されるのであれば、あらゆるポジションについて有効である。スラットの回転移動は、通常、ブラインドが完全に伸展されているときのみ実行される。したがって、スラットのポジションの較正の前に、ブラインドの伸展の較正を実行することが好ましい。
【００２２】
上記したように、第１及び第２ステップモータのいくつかのポジションの較正は、他のポジションの較正より重要である。第１及び第２ステップモータのかかる複数の重要な記憶されたポジションは、以下の光レベル比Ｒの組み合わせのうちの少なくとも１つに対応する（角度は、鉛直外表面に対する角度である）。
Ｒ１）ブラインドは完全に伸展されており、スラットはα＝４５°；
Ｒ２）ブラインドは完全に伸展されており、スラットは完全に開いている若しくはα＝９０°；
Ｒ３）ブラインドは完全に伸展されており、スラットはα＝１３５°；
Ｒ４）ブラインドは完全に伸展されており、スラットは完全に閉じている若しくはα＝１８０°；
Ｒｍｉｎ）ブラインドは完全に伸展されており、スラットは完全に閉じている若しくはα＝０°；又は
Ｒｍａｘ）ブラインドは伸展されておらず、スラットは完全に開いている若しくはα＝９０°。
【００２３】
ブラインドシステムの自動較正のための方法における、記憶されたステップモータポジションを更新するステップは、さらに、第１及び第２ステップモータを、光レベル比Ｒ２に対応する記憶されたポジションに制御するステップと、光レベル比Ｒ’２を測定するステップと、第１及び第２ステップモータを、光レベル比Ｒ４に対応する記憶されたポジションに制御するステップと、光レベル比Ｒ’４を測定するステップと、第１及び第２ステップモータを、光レベル比Ｒｍｉｎに対応する記憶されたポジションに制御するステップと、光レベル比Ｒ’ｍｉｎを測定するステップと、測定された光レベル比Ｒ’ｍｉｎを現在のポジションに対応する記憶された光レベル比Ｒｍｉｎと比較するステップとを含み、測定された光レベル比Ｒ’ｍｉｎが記憶された光レベル比Ｒｍｉｎより高く、Ｒ’４がＲ４より高く、Ｒ’２がＲ２より高い場合、第１ステップモータは漸次調整され、Ｒ’ｍｉｎが記憶された値以下になるまでブラインドをさらに伸展し、メモリ内の前回測定された光レベル比、及び完全に伸展され完全に閉じられたポジションのステップモータポジションを更新し、測定された光レベル比Ｒ’ｍｉｎが記憶された光レベル比Ｒｍｉｎより高く、Ｒ’４及びＲ’２が記憶された値Ｒ４及びＲ２とそれぞれ同様である場合、光レベル比が記憶された値以下になるまで、光レベル比を測定しながら、第２ステップモータを漸次調整してスラットをさらに閉じ、メモリ内の前回測定された光レベル比、及び完全に伸展され完全に閉じられたポジションのステップモータポジションを更新することを含む。
【００２４】
ブラインドシステムの自動較正のための方法における、記憶されたステップモータポジションを更新するステップは、さらに、第１及び第２ステップモータを、光レベル比Ｒ２に対応する記憶されたポジションに制御するステップと、室内光と屋外光との新しい光レベル比Ｒ’２を測定するステップと、新しい光レベル比Ｒ’２を、現在のポジションに対応する記憶された光レベル比と比較するステップとを含み、新しい光レベル比Ｒ’２が記憶された光レベル比Ｒ２より低い場合、光レベル比を測定しながら、第２ステップモータが漸次調整されて、最大光レベル比が求められ、メモリにおいて、最大光レベル比、及び完全に伸展され完全に開かれたポジションのステップモータポジションが更新されることを含む。
【００２５】
重要なポジションである完全に伸展されたポジション及び完全に閉じられたポジション（光レベル比Ｒｍｉｎ及びＲ４）の他に、伸展されていないポジション、すなわちブラインドがないポジションも、好ましくは他の較正の前に測定すべきである。測定された光レベル比Ｒ’ｍａｘが記憶された値Ｒｍａｘより低い場合、ブラインドは完全に引き込まれておらず、第１ステップモータは小さなきざみ幅でブラインドをさらに引く。この処理は、Ｒ’ｍａｘがＲｍａｘ以上になるまで繰り返される。
【００２６】
本発明に係る方法は、本発明に係るシステムと関連付けて上記されたあらゆる特徴を備え得り、また、同じ対応する利点を備える。  
【図面の簡単な説明】
【００２７】
本発明の上記及び他の目的、特徴、並びに利点は、下記の本発明の好ましい実施形態の説明的且つ非限定的な詳細な説明を付属の図面とともに参照することにより一層完全に理解されるであろう。
【００２８】
【図１ａ−１ｃ】図１ａ〜１ｃは、照明センサ及び存在センサの構成が異なる、ブラインドシステムの自動較正のための制御システムを示す。
【図２ａ−２ｄ】図２ａ〜２ｄは、制御ハードウェアの構成が異なる、ブラインドシステムの自動較正のための制御システムを示す。
【図３ａ−３ｂ】図３ａ及び３ｂは、開かれたスラット（図３ａ）及び閉じたスラット（図３ｂ）を有するベネチアンブラインドの例を示す。
【図４】図４は、ブラインドの自動較正を実行するタイミングの原則のフローチャートを示す。
【図５】図５は、較正処理の一例のフローチャートを示す。
【発明を実施するための形態】
【００２９】
存在（ｏｃｃｕｐａｎｃｙ）センサ２及び照明センサ３情報は、ブラインド制御システムによってまとめられる。図１ａに示すように、存在センサ及び照明センサは、ブラインドシステムへの直接のリンクを有してもよい。あるいは、図１ｂに示すように、存在センサ２及び照明センサ３の一方のみがブラインドシステムに接続され、他方のセンサとブラインドシステムとの通信のポートとなり、自身とブラインドシステムとの間の通信を管理してもよい。最も簡単な第３のオプションは、図１ｃに示すように、存在及び照明統合センサ７を使用して、ブラインドシステムに直接接続することである。これらの３つのソリューションはいずれも、センサ２、３、及び７、並びにブラインド制御システム上の特定のコネクタ、並びに合意通信プロトコルを必要とする。
【００３０】
より高度な照明システムの場合、図２ａに示すように、存在情報は、中央照明コントローラによって、又はビル管理システム（ＢＭＳ）９の一部として共有されてもよい。この場合、既存のネットワークインフラ（ＬＯＮ若しくはＫＮＸ、又はＩＰ等）を活用することができるが、照明とブラインドシステムとの間で専用プロトコルを使用してもよい。いずれにせよ、ブラインドシステムコントローラ１とＢＭＳ９との間で特定のコマンド及び情報を交換しなければならない。
【００３１】
人が存在する場合、ブラインド及び照明は通常通り動作するが、存在センサ（２、７）が存在状態における変化（不在、すなわち人が存在しない）をトリガすると、ブラインドシステムは自身を再較正することを決定できる。再較正の決定は、最後の再較正からの時間に基づき（例えば、図４参照）、ブラインドシステム内の様々な部品の既知の機械的摩耗（又は劣化）データに則するべきである。
【００３２】
（再）較正は、日中で、室内照明がオフの間にのみ実行可能である。また、（再）較正は、較正結果を前回の結果と比較できる場合にのみ、敏感に実行可能である。よって、次回の較正が比較できる光レベル値を提供するために、最初の設置の直後に較正シーケンスを実行することが重要である。
【００３３】
次に、図３ａ、図３ｂ、図４、及び図５を参照して、較正処理について説明する。図３ａは、ベネチアンブラインドの一例を示す。ブラインドは完全に伸展されており、スラット１１は完全に開いている、又は角度α＝９０°である。図３ｂは、スラットが閉ポジション、又は角度α＝０°の同じブラインドを示す。角度は、鉛直軸ｘに対する角度である。
【００３４】
（再）較正シーケンスは、屋外及び室内の光強度、より具体的には室内の光強度と屋外の光強度との比を測定しながらブラインド及びスラットのポジションを調整することによって実行される。光レベル比Ｒは、Ｒ＝Ｌｉ／Ｌｅとして定義され、ここで、Ｌｉは、例えば机の表面上等で通常は水平に測定される室内の光強度であり、Ｌｅは、例えば建物の外表面等において通常は垂直に測定される屋外の光強度である。
【００３５】
ブラインドのフル開ポジション、すなわち、ブラインドが全く伸展されていない場合は、室内光条件と屋外光条件との比が最大Ｒｍａｘであるべき場合である。ブラインドが完全に下げられており、スラットが完全に閉じられている（α＝０°）場合、室内光条件と屋外光条件との間の比は最小Ｒｍｉｎであるべきである。様々なスラットのポジションを測定することができるが、いくつかのポジションは他の較正ポジションに影響するため、較正にとって重要である。最も重要なポジションは、上記のＲｍａｘ、並びに下記のＲ２及びＲ４である。さらに、較正中に下記のＲ１及びＲ３を測定して調整することが好ましい。
ブラインドは完全に下げられており、スラットはα＝４５°；Ｒ１
ブラインドは完全に下げられているが、スラットはα＝９０°で開いている；Ｒ２
ブラインドは完全に下げられており、スラットはα＝１３５°；Ｒ３
ブラインドは完全に下げられており、スラットはα＝１８０°で閉じられている；Ｒ４（Ｒｍｉｎとほぼ同じであるべき）
【００３６】
比の値Ｒを前回測定された比の値Ｒ’と比較することにより、ブラインドシステムを再較正できる。例えば、Ｒｍａｘが標準より低い場合、ブラインドは完全に開いていない。システムは、ブラインドを所定のきざみ幅で上げることができ、実際にはモータを「完全に上がった」値よりさらに回転させて、Ｒｍａｘを再度測定してもよい。この工程は、Ｒｍａｘが前回の測定値と調和する値に達するまで繰り返され、新しいモータ軸角度が新しい「完全に上がった」値として記憶される。
【００３７】
Ｒｍｉｎが標準より高い場合、ブラインドは完全に閉じていない。しかし、これは、スラットをさらに閉じなければならない可能性、及びブラインドがさらに下げられる可能性の両方を示唆する。よって、Ｒ４及びＲ２の値も考慮すべきである。Ｒ４及びＲ２の両方も同様に標準より高い場合、ブラインドを下げなければならない。システムは、所定のきざみ幅でブラインドをさらに下げることができ、実際にはモータを「完全に下がった」値よりさらに回転させて、Ｒｍｉｎ、Ｒ２、及びＲ４を再度測定してもよい。この工程は、Ｒｍｉｎが前回の測定値と調和する値になるまで繰り返され、新しいモータ軸角度は、新しい「完全に下がった」値として記憶される。
【００３８】
Ｒｍｉｎが標準より高く、Ｒ４及び／又はＲ２が標準レベルにある場合、スラットポジションを較正しなければならない。これは、同様に標準よりわずかに高いはずであるＲ１を測定することによってダブルチェックできる。システムは、所定のきざみ幅でスラットをさらに回転させ、角度を増加させて、Ｒｍｉｎ並びにＲ２及びＲ１を再度測定することによって最大角度を増加できる。この工程は、Ｒｍｉｎが前回の測定値と調和する値になるまで繰り返され、求められた最大スラット角度は新しい「最大角度」の値として記憶される。Ｒ４はＲｍｉｎと同様に較正されなければならない。Ｒ１及びＲ３は、前回のＲ１及びＲ３の測定値の比較のみによって調整できる。
【００３９】
較正をさらに細かく調整するためには、ブラインド及びスラットポジションが異なる端ポジションから到達された場合におけるＲ値を測定することが好ましい。これは、ブラインド間だけでなく、一方の端ポジションと他端のポジションとにおいても、機械的挙動は経時的に異なり得るからである（すなわち、ブラインドはしばしば非対称挙動及び摩耗を示す）。
【００４０】
Ｒｍｉｎを測定する場合、ブラインドは毎回まず完全に下端まで下げられなければならない。Ｒｍａｘを測定する場合、２つの測定を行わなければならない。（Ｉ）ブラインドがまず上端まで上げられ、続いてスラットを閉じた状態で下端まで下げられ、（ＩＩ）スラットがまず最大角度（α＝１８０°）にされ、続いて閉じられる（α＝０°、すなわち最小角度）。
【００４１】
Ｒ１を測定する場合、２つの測定を行わなければならない。（Ｉ）ブラインドがまず上端まで上げられ、続いてスラットを閉じた状態（α＝１８０°）で下端まで下げられ、（ＩＩ）スラットがまず最小角度（α＝０°）にされ、続いて閉じられる（α＝１８０°、すなわち最大角度）。
【００４２】
Ｒ２、Ｒ３、及びＲ４を測定する場合、２つの測定を行わなければならない。（Ｉ）ブラインドが最大角度（α＝１８０°）にされ、その後要求される角度にされ、（ＩＩ）スラットがまず最小角度（α＝０°）にされ、その後要求される角度にされるべきである。
【００４３】
測定されるＲの値に対して、直射日光は大きな影響を及ぼし得るため、直射日光が存在せず、間接昼光のみが存在する場合にのみ較正を行うことが強く推奨される。
【００４４】
しかし、これはシステムを較正する機会を減ずるため、測定及び前回の測定値との比較を実行する際に、日光ポジションを考慮してもよい。この場合、直射日光による影響を差し引くことによりＲ値をノーマライズしなければならない。例えば、日光がブラインドによって遮られる場合、Ｒ値は、間接昼光のみが存在する場合の同じＲ値よりもはるかに低い。ブラインドの角度に対する日光の角度は、日光が遮られるか否か、及びその程度を決定する。これが既知である場合、Ｒ値の計算において、屋外光強度から日光強度を差し引くことができる。Ｒｎｏｒｍ＝Ｌｉ／（Ｌｅ−Ｌｓ＊ｆ）であり、ここで、Ｌｓは日光の強度であり、ｆはブラインドによって遮られる直射日光の割合である。これは、独立した日光センサ及び昼光センサ、並びにｆを計算するためのブラインドと日光との相互関係のモデルを必要とすることは明らかであろう。
【００４５】
ベネチアンブラインドと同様に、又は完全に同じ方法で、バーチカル（縦型）ブラインドを較正できることを理解されたい。
【００４６】
他のより単純な窓カバーは、開閉しかしないため、より容易に較正できる。かかる場合は、少なくとも１つの、途中まで閉じられた状態の中間測定値を有することが推奨される。
【００４７】
システムの較正中に人がオフィス内に入ってきた場合、較正シーケンスはただちに停止し、光レベルがまだ適切な場合、誰もいない他のタイミングで継続されるべきである。
【００４８】
通信プロトコルに関して、照明システムは、存在情報、又は存在状態における変化をブラインドシステムと共有すべきであることは明らかである。センサが人を短い時間検出しなかっただけの場合において、システムが較正を開始することで人が困ることがないよう、可能であれば所定の遅延が存在する。これは、ブラインドシステムが較正システムを開始することを可能にする。また、ブラインドシステムが全ての室内照明に対してオフになることを要求でき（照明システムによって自動的にそうされていない場合）、また照明システムに室内光強度を要求できるべきなのは明らかである。照明システムは、続いてブラインドシステムにこの値を提供できるべきである。
【００４９】
通常、昼光センサ及び日光センサはブラインドシステムの一部である。
【００５０】
ビル管理システム（ＢＭＳ）等内に組み込まれる場合、ビル管理システムは、全てのセンサデータを直接利用できるべきであり、本例の場合、図２ｄに示すように、ＢＭＳはブラインド及び光を制御して、較正のためにブラインドシステムが必要とする情報を較正又は提供可能であるべきである。
【００５１】
本発明の他の実施形態も考慮され、いくつかの場合において、本発明のいくつかの特徴は、他の特徴を対応して用いることなく使用され得ることを理解されたい。したがって、付属の請求項は、特許請求の範囲と調和するよう、広義に解釈されるべきである。
【図３ａ】
2015503044.tif 000003
【図３ｂ】
2015503044.tif 000004
【図１ａ】
2015503044.tif 000005
【図１ｂ】
2015503044.tif 000006
【図１ｃ】
2015503044.tif 000007
【図２ａ】
2015503044.tif 000008
【図２ｂ】
2015503044.tif 000009
【図２ｃ】
2015503044.tif 000010
【図２ｄ】
2015503044.tif 000011
【図４】
2015503044.tif 000012
【図５】
2015503044.tif 000013
【国際調査報告】
2015503044.tif 000014
2015503044.tif 000015